(57)【要約】【課題】配管を施工した後に、油を用いて油配管内を洗浄するオイルフラッシングの作業に必要な時間を短縮して異物を除去することができる油圧配管設備、異物捕捉方法、これを備える火力発電プラントおよびこれを備える船舶を提供することを目的とする。【解決手段】オイルフラッシング中に機器に接続される配管１０と、配管１０に設けられて配管１０内を流れる油中の異物９を捕捉する異物捕捉手段２０と、を備えることを特徴とする。【選択図】図３
2011104562.tif 000002
【特許請求の範囲】
【請求項１】
オイルフラッシング中に機器に接続される配管と、
該配管に設けられ該配管内を流れる油中の異物を捕捉する異物捕捉手段と、を備える油圧配管設備。
【請求項２】
前記異物捕捉手段は、前記配管内の底部に設けられ、油の流れに対して垂直方向に延在する板である請求項１に記載の油圧配管設備。
【請求項３】
前記異物捕捉手段は、前記配管内の底部にけられ、前記配管軸方向の断面形状がコの字形状となるように形成される板である請求項１に記載の油圧配管設備。
【請求項４】
前記異物捕捉手段は、前記配管内の底部に設けられ、油の流れの上流から下流に向かって下降するように傾斜させた傾斜板である請求項１に記載の油圧配管設備。
【請求項５】
前記異物捕捉手段が設置される上流の前記配管は、さらに上流側の前記配管に対して内径が拡大される請求項１から請求項４のいずれかに記載の油圧配管設備。
【請求項６】
前記異物捕捉手段は、前記配管内の底部から下方に向かって窪んだ窪み部である請求項１から請求項５のいずれかに記載の油圧配管設備。
【請求項７】
前記異物捕捉手段は、油の流れ方向が変化する前記配管内に設置される請求項１から請求項６のいずれかに記載の油圧配管設備。
【請求項８】
前記異物捕捉手段は、空気の旋回流れによって油から異物を分離するサイクロンセパレータである請求項１に記載の油圧配管設備。
【請求項９】
前記異物捕捉手段は、内部に導入される油を攪拌するスクリューと、底部に異物が集積する窪み部と、を有する箱である請求項１に記載の油圧配管設備。
【請求項１０】
前記異物捕捉手段は、油が下方から上方に流れる前記配管上に設けられ、底部に異物が集積する窪み部を有し、上流側の油の流れが前記配管軸方向に対して斜め方向に導入される箱である請求項１に記載の油圧配管設備。
【請求項１１】
前記箱は、油を前記配管軸方向に対して斜め上方に導出する請求項１０に記載の油圧配管設備。
【請求項１２】
前記異物捕捉手段は、その内部にマグネットを設ける請求項１から請求項１１に記載の油圧配管設備。
【請求項１３】
前記異物捕捉手段は、捕捉した異物を排出するための管および該管に接続される弁を有する請求項１から請求項１２のいずれかに記載の油圧配管設備。
【請求項１４】
前記管は、その内部を観察することができる窓が設けられる請求項１３に記載の油圧配管設備。
【請求項１５】
前記配管内の底部には、前記異物捕捉手段へと延在する溝が設けられる請求項１から請求項１４のいずれかに記載の油圧配管設備。
【請求項１６】
オイルフラッシング中に機器の上流側に接続される配管内の油の流れの起動と停止とを繰り返して油中の異物を移動させて請求項１から請求項１５のいずれかに記載の異物捕捉手段へと前記異物を導く異物捕捉方法。
【請求項１７】
請求項１から請求項１５のいずれかに記載の油圧配管設備を備える火力発電プラント。
【請求項１８】
請求項１から請求項１５のいずれかに記載の油圧配管設備を備える船舶。
【発明の詳細な説明】
【技術分野】
【０００１】
本発明は、油圧配管設備に関し、例えば、火力発電プラントや船舶に設置される油配管のオイルフラッシング中における油配管内の異物の捕捉に関するものである。
【背景技術】
【０００２】
一般に、火力発電プラントや船舶に設けられている油配管は、配管施工が完了後であってプラントの稼働開始前に、配管施工の際に発生した異物の捕捉・回収を行うために油を流入させて配管内を洗浄するオイルフラッシングが行われている。オイルフラッシングにかかる時間は、設置されている配管内の洗浄度にもよるが通常６ヶ月もの長期間を要している。
特許文献１には、配管内の洗浄を油の代わりに水と中性除錆材とを用いたケミカルフラッシングによって行う方法が開示されている。
【先行技術文献】
【特許文献】
【０００３】
【特許文献１】特許第４０９５７７５号公報
【発明の概要】
【発明が解決しようとする課題】
【０００４】
しかしながら、特許文献１に記載の発明を用いて油配管の洗浄を実施しても１ヶ月を要することから、油配管内の洗浄時間の更なる短縮が望まれている。
【０００５】
本発明は、このような事情に鑑みてなされたものであって、油配管内の洗浄に要する時間を短縮することが可能な油圧配管設備、異物捕捉方法、これを備える火力発電プラントおよびこれを備える船舶を提供することを目的とする。
【課題を解決するための手段】
【０００６】
上記課題を解決するために、本発明の油圧配管設備、異物捕捉方法、これを備える火力発電プラントおよびこれを備える船舶は、以下の手段を採用する。
すなわち、本発明に係る油圧配管設備によれば、オイルフラッシング中に機器に接続される配管と、該配管に設けられ該配管内を流れる油中の異物を捕捉する異物捕捉手段と、を備えることを特徴とする。
【０００７】
異物を捕捉する異物捕捉手段を機器に接続される配管に設けることにした。そのため、オイルフラッシングが不十分であっても、異物捕捉手段によって油中の異物を捕捉することができる。したがって、オイルフラッシングに要する時間を短縮することができる。
また、機器の上流側に設けられる配管内の油中の異物は、異物捕捉手段に捕捉されて機器にまで達さない。したがって、異物により機器が損傷する危険性を低減することができる。
【０００８】
本発明に係る油圧配管設備によれば、前記異物捕捉手段は、前記配管内の底部に設けられ、油の流れに対して垂直方向に延在する板であることを特徴とする。
【０００９】
配管内の底部には、油の流れに対して垂直方向に板を設けることとした。したがって、異物捕捉手段の設置が容易となる。
【００１０】
本発明に係る油圧配管設備によれば、前記異物捕捉手段は、前記配管内の底部に設けられ、前記配管軸方向の断面形状がコの字形状となるように形成される板であることを特徴とする。
【００１１】
配管内の底部には、配管軸方向の断面形状がコの字形状となる板を設けることとした。したがって、油の流れに対して垂直方向に板を設ける場合と比べて、多くの異物を捕捉することができる。
【００１２】
本発明に係る油圧配管設備によれば、前記配管内の底部に設けられ、油の流れの上流から下流に向かって下降するように傾斜させた傾斜板であることを特徴とする。
【００１３】
配管内の底部には、油の流れの上流から下流に向かって下降するように傾斜させた傾斜板を設けることとした。したがって、油の流れに対して垂直方向に板を設けた場合と比べて、多くの異物を捕捉することができる。
【００１４】
本発明に係る油圧配管設備によれば、前記異物捕捉手段が設置される上流の前記配管は、さらに上流側の配管に比べて内径が拡大されることを特徴とする。
【００１５】
異物捕捉手段の上流の配管の内径を拡大することとした。そのため、配管内に異物捕捉手段を設けることによって生じる油の流速の低減を防止することができる。したがって、配管内に異物捕捉手段を設けることによって生じる油の圧力損失を小さくすることができる。
なお、上流とは、配管内に異物捕捉手段を設けることによって発生する油の圧力損失を十分に小さくすることが可能とされる範囲をいう。
【００１６】
本発明に係る油圧配管設備によれば、前記異物捕捉手段は、前記配管内の底部から下方に向かって窪んだ窪み部であることを特徴とする。
【００１７】
油中の油よりも比重の重い異物は、配管内の底部付近を移動する。そこで、配管内の底部から下方に向かって窪み部を設けることにした。そのため、配管内の底部付近を移動する異物は、窪み部によって捕捉される。したがって、油中の異物を捕捉することができる。
【００１８】
本発明に係る油圧配管設備によれば、前記異物捕捉手段は、油の流れ方向が変化する前記配管内に設置されることを特徴とする。
【００１９】
配管内を流れる油の流れ方向が変化する場所には、油の流れのよどむ場所が生じる。そのため、油の流れがよどむ場所には、異物が溜まりやすくなる。したがって、油の流れ方向が変化する配管内に異物捕捉手段を設けることによって、異物を効果的に捕捉することが可能となる。
【００２０】
本発明に係る油圧配管設備によれば、前記異物捕捉手段は、空気の旋回流れによって油から異物を分離するサイクロンセパレータであることを特徴とする。
【００２１】
サイクロンセパレータに導かれた油は、空気の旋回流れによって旋回される。そのため、油中の異物は、遠心力によって分離される。油から分離された異物は、サイクロンセパレータの下方へと落下する。したがって、サイクロンセパレータによって油中の異物を分離することができる。
【００２２】
本発明に係る油圧配管設備によれば、前記異物捕捉手段は、内部に導入される油を攪拌するスクリューと、底部に異物が集積する窪み部と、を有する箱であることを特徴とする。
【００２３】
箱の中に導入された油は、スクリューによって攪拌される。そのため、油中の異物は、遠心力によって箱の内壁に衝突する。箱の内壁に衝突した異物は、箱の底部に落下し窪み部に集積する。したがって、油中の異物を分離して捕捉することができる。
【００２４】
本発明に係る油圧配管設備によれば、前記異物捕捉手段は、油が下方から上方に流れる前記配管上に設けられ、底部に異物が集積する窪み部を有し、上流側の油の流れが前記配管軸方向に対して斜め方向に導入される箱であることを特徴とする。
【００２５】
箱の中には、油が上流側の配管軸方向に対して斜め下方から導入される。そのため、箱の中に導入された油は、箱の内壁に衝突する。箱の内壁に衝突した油中の異物は、内壁に沿って箱の下方に落下して窪み部に集積する。したがって、油中の異物を分離して捕捉することができる。
【００２６】
本発明に係る油圧配管設備によれば、前記箱は、油を前記配管軸方向に対して斜め上方に導出することを特徴とする。
【００２７】
配管軸方向に対して斜め下方から箱の中に導入された油は、箱から配管軸方向に対して斜め上方に導出される。そのため、配管軸方向に対して斜め下方から箱の中に油を導入する場合と比べて、箱の中に導入された油は、箱の内壁に複数回衝突する。箱の内壁に複数回衝突した油中の異物は、内壁に沿って箱の下方に落下する。したがって、より効率的に油中の異物を分離して捕捉することができる。
また、油は、配管軸方向に対して斜め下方から箱内に導入され、配管軸方向に対して斜め上方に導出される。箱の中に導入された油は、下方から導入された流速よりも上方へ導出される流速の方が遅くなる。そのため、油中の異物は、箱の底部に落下する。したがって、より効率的に油中の異物を分離して捕捉することができる。
【００２８】
本発明に係る油圧配管設備によれば、前記異物捕捉手段は、その内部にマグネットを設けることを特徴とする。
【００２９】
異物捕捉手段の内部にマグネットを設けることにした。そのため、油中の磁性体を有する異物、例えば、鉄粉等、を固定することができる。したがって、油中の異物を捕捉することができる。
【００３０】
本発明に係る油圧配管設備によれば、前記異物捕捉手段は、捕捉した異物を排出するための管および該管に接続される弁を有することを特徴とする。
【００３１】
異物捕捉手段には、管と弁とが設けられている。そのため、オイルフラッシング中に弁を開状態にして、異物の集積状態を確認することができる。したがって、オイルフラッシング中に油圧配管設備の洗浄の程度を確認することができる。
また、配管に接続される機器の運転を継続したまま異物を油圧配管設備の外部へと排出することができる。したがって、油圧配管設備に設けられる機器の運転を妨げることがない。
また、異物捕捉手段によって捕捉された異物を弁を開状態にすることによって油圧配管設備の外部へと排出することができる。したがって、異物により機器が損傷する危険性を一層低減することができる。
【００３２】
本発明に係る油圧配管設備によれば、前記管は、その内部を観察することができる窓が設けられることを特徴とする。
【００３３】
管には、管の内部を観察可能とされた窓を設けることにした。そのため、管内の異物の集積状態を確認することができる。したがって、管内に異物が集積することによる管の詰まりを確認することができる。
【００３４】
本発明に係る油圧配管設備によれば、前記配管内の底部には、前記異物捕捉手段へと延在する溝が設けられることを特徴とする。
【００３５】
配管内の底部に溝を設けることによって、配管内の底部を移動する異物を溝に沿って移動させることができる。したがって、異物を異物捕捉手段に導くことが容易となる。
【００３６】
本発明に係る異物捕捉方法によれば、オイルフラッシング中に機器の上流側に接続される配管内の油の流れの起動と停止とを繰り返して油中の異物を移動させて異物を捕捉する異物捕捉手段へと導くことを特徴とする。
【００３７】
配管内の油の流れの起動と停止とを繰り返すことによって、配管内の底部を移動する油中の異物を異物捕捉手段へと容易に導くことができる。そのため、油の流れの起動と停止とを繰り返えさなかった場合と比べて、油中の異物を短時間で取り除くことができる。したがって、オイルフラッシングに要する時間を短縮することができる。
【００３８】
本発明に係る火力発電プラントによれば、上記のいずれかに記載の油圧配管設備を備えることを特徴とする。
【００３９】
オイルフラッシングが不十分であっても、油中の異物を捕捉することができる。そのため、オイルフラッシングに要する時間を短縮することができる。したがって、火力発電プラントの稼働開始時期を早めることができる。
【００４０】
本発明に係る船舶によれば、上記のいずれかに記載の油圧配管設備を備えることを特徴とする。
【００４１】
オイルフラッシングが不十分であっても、油中の異物を捕捉することができる。そのため、オイルフラッシングに要する時間を短縮することができる。したがって、船舶の建造工程を早めることができる。
【発明の効果】
【００４２】
本発明によると、異物を捕捉する異物捕捉手段を機器に接続される配管に設けることにした。そのため、オイルフラッシングが不十分であっても、油中の異物を捕捉することができる。したがって、オイルフラッシングに要する時間を短縮することができる。
また、機器の上流側の配管内の油中の異物は、異物捕捉手段に捕捉され機器にまで達さない。したがって、異物により機器が損傷する危険性を低減することができる。
【図面の簡単な説明】
【００４３】
【図１】本発明の第１実施形態に係る油圧配管設備を備えた火力発電プラントの概略構成図である。
【図２】図１に示した油圧配管設備を示し、（ａ）は、図１に示したＡ−Ａ部の縦断面図であり、（ｂ）は、（ａ）のＢ−Ｂ部の横断面図であり、（ｃ）は、（ａ）のＣ−Ｃ部の横断面図である。
【図３】本発明の第２実施形態に係る油圧配管設備を示し、図１に示したＡ−Ａ部の縦断面図である。
【図４】本発明の第３実施形態に係る油圧配管設備を示し、図１に示したＡ−Ａ部の縦断面図である。
【図５】本発明の第４実施形態に係る油圧配管設備を示し、図１に示した油圧配管設備の（ａ）は、Ａ−Ａ部の縦断面図であり、（ｂ）は、（ａ）のＤ−Ｄ部の横断面図である。
【図６】本発明の第４実施形態に係る油圧配管設備の変形例を示し、図１に示したＡ−Ａ部の縦断面図である。
【図７】本発明の第５実施形態に係る油圧配管設備を示し、図１に示したＡ−Ａ部の縦断面図である。
【図８】本発明の第６実施形態に係る油圧配管設備を示し、図１に示したＦ部の縦断面図である。
【図９】本発明の第６実施形態に係る油圧配管設備の変形例を示し、図１に示したＦ部の縦断面図である。
【図１０】本発明の第６実施形態に係る油圧配管設備の変形例を示し、図１に示したＦ部の縦断面図である。
【図１１】本発明の第７実施形態に係る油圧配管設備を示し、図１に示したＦ部の縦断面図である。
【図１２】本発明の第８実施形態に係る油圧配管設備を示し、図１に示したＡ−Ａ部の縦断面図である。
【図１３】本発明の第９実施形態に係る油圧配管設備を示し、図１に示したＡ−Ａ部の縦断面図である。
【図１４】本発明の第１０実施形態に係る油圧配管設備を示し、図１に示したＡ−Ａ部の縦断面図である。
【００４４】
［第１実施形態］
以下、本発明の第１実施形態について、図１および図２を用いて説明する。
図１には、本実施形態に係る油圧配管設備を備えた火力発電プラントの概略構成図が示されている。
火力発電プラントの油配管設備１は、油が貯蔵されている油タンク２と、油タンク２に貯蔵されている油を昇圧する油圧ポンプ３と、油圧ポンプ３によって昇圧された油が導かれる油圧機器（機器）４とを備えている。
【００４５】
油タンク２には、油圧機器４の潤滑等に用いられる油が貯蔵されている。油圧タンク２には、フィルタ５が設けられている。フィルタ５には、後述する配管１１によって油圧機器４から吐出された油が導かれる。フィルタ５は、油圧機器４が作動中であっても油タンク２から取り外すことができる。フィルタ５を油タンク２から取り外すことによって、フィルタ５に溜まったノロ（異物）を含む混入物を除去することができる。
【００４６】
油圧ポンプ３は、油タンク２内の油を吸引して油を昇圧して配管１０へと導出する。
油圧機器４は、例えば、圧縮機やタービン等、油を潤滑油として用いる機器である。
【００４７】
配管１０は、油圧ポンプ３と油圧機器４との間を接続している。
配管１１は、油圧機器４と油タンク２内に設けられているフィルタ５との間を接続している。配管１０，１１には、直管、Ｌ字形状配管、Ｕ字形状配管、フランジ等が含まれている。
なお、ノロとは、配管１０,１１を構成する直管、Ｌ字形状配管、Ｕ字形状配管、フランジ等を溶接によって接続する際に配管１０,１１内に付着した付着物である。
【００４８】
図２には、図１に示した油圧配管設備を示し、（ａ）には、図１に示したＡ−Ａ部の縦断面図が、（ｂ）には、（ａ）のＢ−Ｂ部の横断面図が、（ｃ）には、（ａ）のＣ−Ｃ部の横断面図が示されている。
油圧ポンプ３（図１参照）と油圧機器４との間を接続している配管１０の一部を構成している直管１２の内部には、異物捕捉手段２０が設けられている。
【００４９】
異物捕捉手段２０は、直管１２内を流れる油中のノロ９を捕捉するものである。異物捕捉手段２０は、直管１２内を流れる油の流れ方向に対して垂直方向に延在する板２１である。板２１は、直管１２内の底部に溶接によって固定され、直管１２内を流れる油の圧力によって座屈しないものとされる。板２１は、直管１２内に複数設けられている。
【００５０】
板２１は、図２（ｂ）に示すように、直管１２の底部から３分の１の高さを有している。板２１の直管１２の底部からの高さは、直管１２内に複数設けられている全ての板２１によって、配管１０内のノロ９の全量が捕捉できるものとされている。
【００５１】
板２１の上流側の直管１２の内底部には、図２（ｃ）に示すように、溝２２が設けられている。溝２２は、直管１２の軸方向に延在しており、板２１まで続いている。直管１２の軸方向に垂直な溝２２の断面は、V字形状をしており、直管１２の下方に向かって窪んでいる。
【００５２】
次に、油配管設備１（図１参照）の油の流れについて説明する。
油は、油タンク２から油圧ポンプ３によって吸引されて昇圧される。油圧ポンプ３によって昇圧された油は、配管１０へと導出される。配管１０内を流れる油中には、配管１０の内壁から剥離したノロ９が混入している。
【００５３】
配管１０内の油中に混入しているノロ９は、溶接時に発生する鉄粉等の付着物であり、油よりも比重が重い。そのため、油中のノロ９は、配管１０内の底部を移動する。配管１０内の底部を移動するノロ９は、配管１０の直管１２内の底部に設けられている溝２２によって直管１２の下流側へと導かれる。溝２２に沿って直管１２内の底部を移動したノロ９は、板２１によって捕捉される。ノロ９は、板２１によって捕捉されるので、板２１の下流側の直管１２内には導かれない。
下流側の直管１２の内壁から剥離したノロ９は、下流側の直管１２の内部に設けられている板２１によって同様に捕捉される。
これらにより、油圧機器４には、ノロ９を含んでいない油が導かれる。
【００５４】
油圧機器４内を通過した油は、配管１１へと導出される。配管１１に導出された油には、配管１０内を流れる油と同様にノロ９が混入していることがある。また、配管１１内に導出された油には、油圧機器４内から導出された混入物が混じっている。配管１１内のノロ９を含んだ油は、フィルタ５を介して油タンク２へと戻される。ノロ９を含んだ混入物は、フィルタ５によって捕捉される。フィルタ５によって配管１１から油タンク２へと導かれた油には、ノロ９を含む混入物が含まれていないことになる。
【００５５】
以上説明したように、本実施形態にかかる油圧配管設備およびこれを備えた火力発電プラントによれば、以下の作用効果を奏する。
ノロ（異物）９を捕捉する板（異物捕捉手段）２１を油圧機器（機器）４に接続されている直管（配管）１２に設けることにした。そのため、オイルフラッシングが不十分であっても、板２１によって油中のノロ９を捕捉することができる。したがって、オイルフラッシングに要する時間を短縮することができる。
また、油圧機器４の上流側の直管１２内の油中のノロ９は、板２１によって捕捉され油圧機器４まで達さない。したがって、ノロ９により油圧機器４が損傷する危険性を低減することができる。
【００５６】
直管１２内の底部には、油の流れに対して垂直方向に板２１を設けることとした。したがって、板２１の設置が容易となる。
【００５７】
直管１２内の底部には、溝２２を設けることにした。そのため、直管１２内の底部を移動するノロ９を溝２２に沿って移動させることができる。したがって、ノロ９を板２１に導くことが容易となる。
【００５８】
オイルフラッシングが不十分であっても、油中のノロ９を捕捉することができる。そのため、オイルフラッシングに要する時間を短縮することができる。したがって、火力発電プラントの稼働開始時期を早めることができる。
【００５９】
なお、本実施形態では、直管１２内の底部に設けられている溝２２の断面形状がＶ字形状として説明したが、本発明はこれに限定されるものではなく、Ｕ字形状等であっても良く、直管１２内の底部を移動するノロ９を板２１へと導きやすい形状であれば良い。
【００６０】
また、本実施形態では、溝２２を直管１２内の底部に設けるとして説明したが、本発明はこれに限定されるものではなく、配管１０内の底部をノロ９が移動しやすいようにＬ字形状配管、Ｕ字形状配管等の内底部に設けても良い。
また、本実施形態では、板２１を直管１２内に設けることとして説明したが、配管１１内に設けても良い。
また、本実施形態では、油は、油圧機器４に用いられる潤滑油として説明したが、燃料油や作動油等であっても良い。
【００６１】
また、本実施形態では、火力発電プラントを用いて説明したが、本発明はこれに限定されるものではなく、船舶であっても良い。
この場合には、本願実施形態に係る油圧配管設備を備えた船舶は、以下の作用効果を奏する。
オイルフラッシングが不十分であっても、油中のノロを捕捉することができる。そのため、オイルフラッシングに要する時間を短縮することができる。したがって、船舶の建造工程を早めることができる。
【００６２】
[第２実施形態]
以下、本発明の第２実施形態について図３に基づいて説明する。本実施形態の油圧配管設備およびこれを備える火力発電プラントは、異物捕捉手段がコの字形状の板である点で第１実施形態と相違し、その他は同様である。したがって、同一の構成および油の流れについては、同一の符号を付してその説明を省略する。
【００６３】
異物捕捉手段２０は、直管（配管）１２軸方向の断面形状がコの字形状になるように形成された板２３である。コの字形状になるように形成された板２３は、油の流れに対して垂直方向の板と平行方向の板とによって形成されている。コの字形状の板２３は、複数備えられ、直管１２内の底部に溶接によって固定されている。
【００６４】
コの字形状になるように形成された板２３の直管１２の底部からの高さは、直管１２内に複数設けられている全ての板２３によって、配管１０内のノロ（異物）９の全量が捕捉できるものとされている。
【００６５】
以上説明したように、本実施形態にかかる油圧配管設備およびこれを備えた火力発電プラントによれば、以下の作用効果を奏する。
直管（配管）１２内の底部には、直管１２軸方向の断面形状がコの字形状の板（異物捕捉手段）２３を設けることとした。したがって、油の流れに対して垂直方向に板を設ける場合と比べて、多くのノロ（異物）９を捕捉することができる。
【００６６】
[第３実施形態]
以下、本発明の第３実施形態について図４に基づいて説明する。本実施形態の油圧配管設備およびこれを備えた火力発電プラントは、異物捕捉手段が傾斜板である点で第１実施形態と相違し、その他は同様である。したがって、同一の構成および油の流れについては、同一の符号を付してその説明を省略する。
【００６７】
異物捕捉手段２０は、複数備えられ、直管（配管）１２内の底部に設けられている。異物捕捉手段２０は、直管１２内を流れる油の上流から下流に向かって下降するように傾斜させた傾斜板２４である。
【００６８】
傾斜板２４の上流の直管部１２Ａは、その更に上流側の直管１２の内径と比べて内径が外側へ拡大している。傾斜板２４の上流とは、直管部１２Ａ内に傾斜板２４を設けることによって発生する油の圧力損失を十分に小さくすることが可能とされる直管１２軸方向の距離をいう。
【００６９】
以上説明したように、本実施形態にかかる油圧配管設備およびこれを備えた火力発電プラントによれば、以下の作用効果を奏する。
直管（配管）１２内の底部には、油の流れの上流から下流に向かって下降するように傾斜させた傾斜板（異物捕捉手段）２４を設けることとした。したがって、油の流れに対して垂直方向に板を設ける場合と比べて、多くのノロ（異物）９を捕捉することができる。
【００７０】
傾斜板２４の上流の直管部１２Ａの内径を拡大することとした。そのため、直管１２内に傾斜板２４を設けることによって生じる油の流速の低減を防止することができる。したがって、直管１２内に傾斜板２４を設けることによって生じる油の圧力損失を小さくすることができる。
【００７１】
[第４実施形態]
以下、本発明の第４実施形態について図５に基づいて説明する。本実施形態の油圧配管設備およびこれを備えた火力発電プラントは、異物捕捉手段が傾斜板であり、その傾斜板の下方にドレン管および開閉弁を有する点で第１実施形態と相違し、その他は同様である。したがって、同一の構成および油の流れについては、同一の符号を付してその説明を省略する。
【００７２】
異物捕捉手段２０は、複数備えられ、直管（配管）１２内の底部に設けられている。異物捕捉手段２０は、直管１２内を流れる油の上流から下流に向かって下降するように傾斜させた傾斜板２４である。
傾斜板２４が設けられている直管１２の下方には、直管１２に連通している直管状のドレン管（管）２５が接続されている。ドレン管２５の先端には、開閉弁（弁）２６が設けられている。
開閉弁２６は、通常は閉状態とされている。
【００７３】
次に、油配管設備１（図１参照）の油の流れについて説明する。
配管１０内の油中に混入しているノロ（異物）９は、直管１２に設けられている傾斜板２４によって捕捉される。傾斜板２４によって捕捉されたノロ９は、直管１２に連通しているドレン管２５内へと落下する。ドレン管２５内に落下したノロ９は、開閉弁２６が閉状態とされているため、ドレン管２５内に集積される。
【００７４】
以上説明したように、本実施形態にかかる油圧配管設備およびこれを備えた火力発電プラントによれば、以下の作用効果を奏する。
傾斜板（異物捕捉手段）２４が設けられている直管（配管）１２の下方には、ドレン管（管）２５と開閉弁（弁）２６とが設けられている。そのため、オイルフラッシング中に開閉弁２６を開状態にしてノロ（異物）９の集積状態を確認することができる。したがって、オイルフラッシング中に油圧配管設備１（図１参照）内の洗浄の程度を確認することができる。
【００７５】
また、開閉弁２６を開状態にすることによって、配管１０に接続されている油圧ポンプ３や油圧機器４の運転を継続したままノロ９を油圧配管設備１の外部へと排出することができる。したがって、油圧配管設備１に設けられている油圧ポンプ３や油圧機器４の運転を妨げることがない。
【００７６】
また、開閉弁２６を開状態にすることによって、傾斜板２４によって捕捉されたノロ９を油圧配管設備１の外部へと排出することができる。したがって、ノロ９により油圧機器４が損傷する危険性を一層低減することができる。
【００７７】
なお、本実施形態では、ドレン管２５は、直管として説明したが、本発明はこれに限定されるものではなく、図６に示すようにドレン管２５内を観察可能とされた窓２７を設けても良い。
この場合には、本願実施形態に係る油圧配管設備およびこれを備えた火力発電プラントは、以下の作用効果を奏する。
ドレン管（管）２５には、ドレン管２５の内部が観察可能な窓２７を設けることにした。そのため、ドレン管２５内のノロ（異物）９の集積状態を確認することができる。したがって、ノロ９が集積することによるドレン管２５の詰まりを確認することができる。
【００７８】
[第５実施形態]
以下、本発明の第５実施形態について図７に基づいて説明する。本実施形態の油圧配管設備およびこれを備えた火力発電プラントは、異物捕捉手段が窪み部である点で第１実施形態と相違し、その他は同様である。したがって、同一の構成および油の流れについては、同一の符号を付してその説明を省略する。
【００７９】
異物捕捉手段２０は、直管（配管）１２の底部から下方に向かって窪んだ窪み部２８である。窪み部２８は、油圧機器４（図１参照）の近傍の上流側の直管１２に設けられている。
窪み部２８の大きさは、図１に示した油圧ポンプ３と油圧機器４との間を接続している配管１０内のノロ（異物）９の総量に対応する容量とされ、例えば、５００ｇに安全率３を考慮した１５００ｇ程度のノロ９を捕捉できる容量とされる。窪み部２８内には、マグネット（図示せず）が設けられている。
【００８０】
次に、油配管設備１（図１参照）の油の流れについて説明する。
直管１２内の油中に混入しているノロ９は、油よりも比重が重いため、直管１２内の底部を移動する。直管１２内の底部を移動するノロ９は、直管１２内の底部に設けられている窪み部２８によって捕捉される。
【００８１】
以上説明したように、本実施形態にかかる油圧配管設備およびこれを備えた火力発電プラントによれば、以下の作用効果を奏する。
油中の油よりも比重の重いノロ（異物）９は、直管（配管）１２内の底部を移動する。そこで、直管１２内の底部から下方に向かって窪み部（異物捕捉手段）２８を設けることにした。そのため、直管１２内の底部を移動するノロ９は、窪み部２８によって捕捉される。したがって、油中のノロ９を捕捉することができる。
【００８２】
窪み部２８の内部には、マグネット（図示せず）を設けることにした。そのため、油中の磁性体を有するノロ９、例えば、鉄粉等、をマグネットによって固定することができる。したがって、油中のノロ９を捕捉することができる。
【００８３】
[第６実施形態]
以下、本発明の第６実施形態について図８に基づいて説明する。本実施形態の油圧配管設備およびこれを備えた火力発電プラントは、異物捕捉手段がＬ字形状配管内に設けられている点で第１実施形態と相違し、その他は同様である。したがって、同一の構成および油の流れについては、同一の符号を付してその説明を省略する。
【００８４】
図８には、図１に示した油圧配管設備１のＦ部の縦断面図が示されている。
Ｌ字形状配管１３（配管）は、図１に示した配管１０の一部を構成する。Ｌ字形状配管１３は、水平方向の直管部１３Ａと水平方向の直管部１３Ａに対して直角に接続される直管部１３Ｂとから形成される。Ｌ字形状配管１３の直管部１３Ｂの上流端であって直管部１３Ｂの外側の内壁には、板（異物捕捉手段）２１が設けられている。
【００８５】
次に、油配管設備１（図１参照）の油の流れについて説明する。
Ｌ字形状配管１３内の油は、直管部１３Ａから直管部１３Ｂへと導かれる際に流れの方向が変化する。そのため、直管部１３Ａ内の底部を移動する比重の重いノロ（異物）９は、油の流れ方向に追従せず、油の流れがよどむ場所１３Ｃに蓄積する。
【００８６】
以上説明したように、本実施形態にかかる油圧配管設備およびこれを備えた火力発電プラントによれば、以下の作用効果を奏する。
Ｌ字形状配管（配管）１３内を流れる油の流れ方向が変化する場所には、油の流れのよどむ場所１３Ｃが生じる。そのため、油の流れがよどむ場所１３Ｃには、ノロ（異物）９が溜まりやすくなる。したがって、油の流れ方向が変化する場所に板（異物捕捉手段）２１を設けることによって、ノロ９を効果的に捕捉することが可能となる。
【００８７】
なお、本実施形態では、異物捕捉手段２０として板２１を用いて説明したが、本発明はこれに限定されるものではなく、Ｌ字形状配管１３の上流側の直管部１３Ａの下流端、または、下流側の直管部１３Ｂの上流端に窪み部を設けても良い。この場合には、Ｌ字形状配管１３内の油の流れがよどんだ場所１３Ｃに溜まったノロ９は、窪み部によって捕捉される。
【００８８】
また、配管１０は、図９に示すように、配管１０内を流れる油が直管部１３Ａを経て直管部１３Ｂの下方から上方へと流れるＬ字形状配管１３であって、Ｌ字形状配管１３の下流側の直管部１３Ｂの上流端（図９において下方）に窪み部２８を設けても良い。
この場合には、Ｌ字形状配管（配管）１３内の油の流れは、油の流れのよどんだ場所１３Ｃに集まったノロ（異物）９は、重力によって直管部１３Ｂの上流端へと落下する。直管部１３Ｂの上流端に落下したノロ９は、窪み部（異物捕捉手段）２８によって捕捉される。
【００８９】
また、配管１０は、図１０に示すように、配管１０内を流れるが油が上方から下方へと導かれた後に下方から上方へと導かれるＵ字形状配管１４であって、Ｕ字形状配管１４の突出している頂点１４Ａの外側の外壁に窪み部２８を設けても良い。
この場合には、Ｕ字形状配管（配管）１４内の油の流れは、頂点１４Ａにおいて方向が変化する。そのため、油の流れ方向が変化する頂点１４Ａは、油の流れがよどんだ場所となる。したがって、Ｕ字形状配管１４内の油の流れがよどんだ場所である頂点１４Ａに溜まったノロ（異物）９は、重力によって頂点１４Ａの下方へと落下する。頂点１４Ａの下方へと落下したノロ９は、窪み部（異物捕捉手段）２８によって捕捉される。
【００９０】
[第７実施形態]
以下、本発明の第７実施形態について図１１に基づいて説明する。本実施形態の油圧配管設備およびこれを備えた火力発電プラントは、異物捕捉手段がサイクロンセパレータである点で第１実施形態と相違し、その他は同様である。したがって、同一の構成および油の流れについては、同一の符号を付してその説明を省略する。
【００９１】
異物捕捉手段２０は、サイクロンセパレータ２９である。
サイクロンセパレータ２９は、図１に示した配管１０を構成しているＬ字形状配管（配管）１３上に設けられている。
サイクロンセパレータ２９は、サイクロンセパレータ２９内の旋回された空気を用いてサイクロンセパレータ２９内に導かれた油に遠心力を発生させる。サイクロンセパレータ２９によって油に発生した遠心力によって、油から異物を分離するものである。サイクロンセパレータ２９は、円柱形状をしている。サイクロンセパレータ２９の下端は、下方に向かって先細りのテーパー形状となっている。
【００９２】
サイクロンセパレータ２９の上方の側壁には、Ｌ字形状配管１３の上流側の直管部１３Ａが接続されている。サイクロンセパレータ２９の上方には、Ｌ字形状配管１３の下流側の直管部１３Ｂが接続されている。サイクロンセパレータ２９の下方の側壁には、火力発電プラントに設けられている空気配管１５が接続されている。サイクロンセパレータ２９の内部には、空気配管１５から空気が導かれることによって空気の旋回流れが生じる。
【００９３】
次に、油配管設備１（図１参照）の油の流れについて説明する。
Ｌ字形状配管１３の上流側の直管部１３Ａからサイクロンセパレータ２９に導かれたノロ（図示せず）を含んだ油は、空気配管１５から導かれた空気によって生じる空気の旋回流れ内に導出される。空気の旋回流れによってノロおよび油には遠心力が作用する。ノロの比重は、油よりも重いため油から分離される。油から分離されたノロは、旋回しながらサイクロンセパレータ２９の内部を下方へと落下する。サイクロンセパレータ２９の内部の下方に落下したノロは、サイクロンセパレータ２９の下端に設けられているテーパー形状によって捕捉される。
一方、空気の旋回流れによってノロが分離された油は、空気の上昇気流によってサイクロンセパレータ２９の上方に設けられているＬ字形状配管１３の下流側の直管部１３Ｂへと導出される。
【００９４】
以上説明したように、本実施形態にかかる油圧配管設備およびこれを備えた火力発電プラントによれば、以下の作用効果を奏する。
サイクロンセパレータ（異物捕捉手段）２９に導かれた油は、空気の旋回流れによって旋回される。そのため、油中のノロ（異物）は、遠心力によって分離される。油から分離されたノロは、サイクロンセパレータ２９の下方へと導かれる。したがって、サイクロンセパレータ２９によって油中のノロを分離して捕捉することができる。
【００９５】
[第８実施形態]
以下、本発明の第８実施形態について図１２に基づいて説明する。本実施形態の油圧配管設備およびこれを備えた火力発電プラントは、異物捕捉手段がスクリューおよび窪み部を有する箱である点で第１実施形態と相違し、その他は同様である。したがって、同一の構成および油の流れについては、同一の符号を付してその説明を省略する。
【００９６】
異物捕捉手段２０は、スクリュー３０Ａおよび窪み部３０Ｂを有する箱３０である。
箱３０は、図１に示した配管１０を構成する油の流れが下方から上方へと流れる直管（配管）１６上に設けられている。箱３０は、箱３０内に設けられているスクリュー３０Ａによって箱３０に導かれた油を回転させる。
【００９７】
箱３０は、円柱形状をしている。箱３０の側壁と底部とによって構成される隅部には、下方に向かって窪んだ窪み部３０Ｂが各々設けられている。
箱３０の下方には、上流側の直管１６Ａが接続されている。箱３０の上方には、下流側の直管１６Ｂが接続されている。
【００９８】
次に、油配管設備１（図１参照）の油の流れについて説明する。
直管１６Ａによって下方から箱３０内に導かれたノロ（異物）９を含んだ油は、箱３０内に設けられているスクリュー３０Ａによって回転される。スクリュー３０Ａが油を回転することによって、油には遠心力が作用する。油には、遠心力が作用するためノロ９が分離される。油から分離されたノロ９には、遠心力が作用している。遠心力が作用しているノロ９は、箱３０の内壁に衝突する。箱３０の内壁に衝突したノロ９は、箱３０の内壁に沿って箱３０の下方へと落下する。
【００９９】
箱３０の底部の隅部には、窪み部３０Ｂが設けられている。そのため、内壁に沿って箱３０の下方へと落下したノロ９は、窪み部３０Ｂに捕捉される。
スクリュー３０Ａによってノロ９が分離された油は、箱３０の上方に設けられている直管１６Ｂへと導出される。
【０１００】
以上説明したように、本実施形態にかかる油圧配管設備およびこれを備えた火力発電プラントによれば、以下の作用効果を奏する。
箱（異物捕捉手段）３０の中に導入された油は、スクリュー（異物捕捉手段）３０Ａによって攪拌される。そのため、油中のノロ（異物）９は、遠心力によって箱３０の内壁に衝突し箱３０の底部に落下し窪み部（異物捕捉手段）３０Ｂに集積する。したがって、油中のノロ９を捕捉することができる。
【０１０１】
なお、本実施形態では、箱３０の形状を円柱状として説明したが、本発明はこれに限定されるものではなく、直方体形状であっても良い。
【０１０２】
[第９実施形態]
以下、本発明の第９実施形態について図１３に基づいて説明する。本実施形態の油圧配管設備およびこれを備えた火力発電プラントは、異物捕捉手段が窪み部を有する箱であり、箱に導入される油が上流側の配管軸方向に対し斜め方向に導入される点で第１実施形態と相違し、その他は同様である。したがって、同一の構成および油の流れについては、同一の符号を付してその説明を省略する。
【０１０３】
異物捕捉手段２０は、窪み部３１Ａを有する箱３１である。
箱３１は、図１に示した配管１０を構成する油の流れが下方から上方へと流れる直管（配管）１６上に設けられている。
箱３１は、円柱形状をしている。箱３１の側壁と底部とによって構成される隅部には、下方に向かって窪んだ窪み部３１Ａが各々設けられている。
【０１０４】
箱３１の下方には、上流側の直管１６Ａとの間を接続している斜め管３１Ｂ（異物捕捉手段）が設けられている。斜め管３１Ｂは、上流側の直管１６Ａ軸方向に対して斜め方向になるように接続されている。箱３１の上方には、下流側の直管１６Ｂが接続されている。下流側の直管１６Ｂの接続位置は、後述する流れ方向が変化した油が導出され易い位置とされる。
【０１０５】
次に、油配管設備１（図１参照）の油の流れについて説明する。
直管１６Ａから斜め管３１Ｂへと導出されたノロ（異物）９を含んだ油は、油の流れ方向が直管１６Ａ軸方向に対して斜め方向に変えられる。斜め管３１Ｂから箱３１内に導入された油の流れ方向は、直管１６Ａ軸方向に対して斜め方向となる。箱３１内に斜め方向に導入された油は、箱３１内を斜め方向に移動して、箱３１の内壁に衝突する。油が箱３１の内壁に衝突することによって、油からノロ９が分離される。油から分離されたノロ９は、箱３１の内壁に沿って箱３１の下方へと落下する。
【０１０６】
箱３１の底部の隅部には、窪み部３１Ａが設けられている。そのため、箱３１の内壁に沿って箱３１の下方へと落下したノロ９は、窪み部３１Ａに集積する。
箱３１の内壁に衝突した油は、矢印Ｇで示すように流れ方向が変化する。流れ方向が変化した油は、箱３１の上方に設けられている直管１６Ｂから導出される。
【０１０７】
以上説明したように、本実施形態にかかる油圧配管設備およびこれを備えた火力発電プラントによれば、以下の作用効果を奏する。
箱（異物捕捉手段）３１の中には、斜め管（異物捕捉手段）３１Ｂを流れる油が上流側の直管（配管）１６Ａ軸に対して斜め方向から導入される。そのため、箱３１の中に導入された油は、箱３１の内壁に衝突する。油が箱３１の内壁に衝突することによって、油中のノロ（異物）９が分離される。油から分離されたノロ９は、箱３１の下方に落下して窪み部（異物捕捉手段）３１Ａに集積する。したがって、油中のノロ９を分離して捕捉することができる。
【０１０８】
なお、本実施形態では、箱３１の形状を円柱形状として説明したが、本発明はこれに限定されるものではなく、直方体形状であっても良い。
【０１０９】
[第１０実施形態]
以下、本発明の第１０実施形態について図１４に基づいて説明する。本実施形態の油圧配管設備およびこれを備えた火力発電プラントは、異物捕捉手段が窪み部を有する箱であり、箱に導入される油が上流側の配管軸方向に対し斜め方向から導入され、箱から導出される油が下流側の配管軸方向に対し斜め方向へと導びかれる点で第１実施形態と相違し、その他は同様である。したがって、同一の構成および油の流れについては、同一の符号を付してその説明を省略する。
【０１１０】
異物捕捉手段２０は、窪み部３２Ａを有する箱３２である。
箱３２は、図１に示した配管１０を構成する油の流れが下方から上方へと流れる直管（配管）１６上に設けられている。
箱３２は、円柱形状をしている。箱３２の側壁と底部とによって構成される隅部には、下方に向かって窪んだ窪み部３２Ａが各々設けられている。
【０１１１】
箱３２の下方には、上流側の斜め管（異物捕捉手段）３２Ｂが接続されている。上流側の斜め管３２Ｂは、上流側の直管１６Ａと箱３２の下方との間を接続している。上流側の斜め管３２Ｂは、上流側の直管１６Ａ軸方向に対して斜め方向になるように接続されている。上流側の斜め管３２Ｂは、箱３２の下方を貫通して箱３２内に斜め方向に突出して設けられている。
【０１１２】
箱３２の上方には、下流側の斜め管（異物捕捉手段）３２Ｃが設けられている。下流側の斜め管３２Ｃは、下流側の直管１６Ｂと箱３２の上方との間を接続している。下流側の斜め管３２Ｃは、下流側の直管１６Ｂ軸方向に対して斜め方向になるように接続されている。下流側の斜め管３２Ｃは、箱３２の上方を貫通して箱３２内に斜め方向に突出して設けられている。上流側の斜め管３２Ｂと下流側の斜め管３２Ｃとは、互いに平行になるように設けられている。
【０１１３】
次に、油配管設備１（図１参照）の油の流れについて説明する。
上流側の直管１６Ａから上流側の斜め管３２Ｂに導出されたノロ（異物）９を含んだ油は、油の流れ方向が上流側の直管１６Ａ軸方向に対して斜め方向に変えられる。上流側の斜め管３２Ｂから箱３２内に導入された油の流れ方向は、直管１６Ａ軸方向に対して斜め方向となる。箱３２内に斜め方向に導入された油は、箱３２内を矢印Ｈに示すよう斜め上方向に移動する。箱３２内を斜め上方向に移動した油は、箱３２の内壁に衝突する。油が箱３２の内壁に衝突することによって、油中のノロ９が油から分離される。
【０１１４】
箱３２の内壁に衝突した油は、流れ方向が変化する。流れ方向が変化した油は、矢印Ｈに示すように、箱３２の反対側の内壁へと導かれる。箱３２の反対側の内壁に導かれた油は、箱３２の内壁に衝突する。油が箱３２の内壁に衝突することによって、油中に含まれているノロ９がさらに分離される。上述したように、箱３２に導かれた油は、箱３２の内壁に複数回衝突する。箱３２の内壁に複数回衝突した油は、箱３２の上方に設けられている下流側の斜め管３２Ｃへと導出される。下流側の斜め管３２Ｃに導出された油は、下流側の直管１６Ｂへと導かれる。
【０１１５】
油から分離されたノロ９は、箱３２の内壁に沿って箱３２の下方へと落下する。箱３２の底部の隅部には、窪み部３２Ａが設けられている。そのため、箱３２の内壁に沿って箱３２の下方へと落下したノロ９は、窪み部３２Ａに集積する。
【０１１６】
以上説明したように、本実施形態にかかる油圧配管設備およびこれを備えた火力発電プラントによれば、以下の作用効果を奏する。
上流側の直管（配管）１６Ａ軸方向に対して斜め下方から斜め管（異物捕捉手段）３２Ｂによって箱（異物捕捉手段）３２の中に導入された油は、箱３２から下流側の直管１６Ｂ軸方向に対して斜め上方なるように設けられている斜め管（異物捕捉手段）３２Ｃへと導出される。そのため、上流側の直管１６Ａ軸方向に対して斜め下方から箱３２の中に油を導入する場合に比べて、箱３２の中に導入された油は、箱３２の内壁に複数回衝突する。箱３２の内壁に複数回衝突した油中のノロ（異物）９は、箱３２の内壁に沿って箱３２の下方に落下する。したがって、より効率的に油中のノロ９を分離して捕捉することができる。
【０１１７】
また、油は、上流側の斜め管３２Ｂによって上流側の直管１６Ａ軸方向に対して斜め下方から箱３２内に導入し、下流側の斜め管３２Ｃによって下流側の直管１５Ｂ軸方向に対して斜め上方に導出されるので、箱３２の中に導入された油は、上流側の斜め管３２Ｂによって下方から導入される流速よりも下流側の斜め管３２Ｃに導出される流速の方が遅くなる。そのため、油中のノロ９は、重力によって箱３２の底部に落下する。したがって、より効率的に油中のノロ９を分離して捕捉することができる。
【０１１８】
[第１１実施形態]
以下、本発明の第１１実施形態について説明する。本実施形態の異物捕捉方法は、異物捕捉手段への異物の導き方が第１実施形態と相違し、その他は同様である。したがって、同一の構成および油の流れについては、同一の符号を付してその説明を省略する。
【０１１９】
油圧ポンプと油圧機器（機器）との間を接続している配管には、異物捕捉手段が設けられている。異物捕捉手段は、油圧機器の近傍の上流側の配管に設けられている。
油圧ポンプは、起動させることによって油圧機器の上流側に接続されている配管内に油を供給する。その後、油圧ポンプを停止する。油圧ポンプの起動と停止とを数回繰り返す。
【０１２０】
配管内を流れる油内のノロ（異物）は、油よりも比重が重い。そのため、油圧ポンプを停止して配管内の油の流れを止めた場合には、ノロは、重力によって配管内の底部に沈殿する。その後、油圧ポンプを起動させて配管内に油を再度流すことによって、油の流れにより配管内の底部に沈んだノロが配管の下流側へと導かれる。油圧ポンプの起動と停止との繰り返しによって、配管の下流側へと導かれたノロは、油圧機器の上流側に設けられている異物捕捉手段によって捕捉される。
【０１２１】
以上説明したように、本実施形態にかかる異物捕捉方法によれば、以下の作用効果を奏する。
油圧ポンプによって配管内の油の流れの起動と停止とを繰り返すことによって、配管内の底部を移動する油中のノロ（異物）を異物捕捉手段へと容易に導くことができる。そのため、油圧ポンプによって油の流れの起動と停止とを繰り返えさなかった場合と比べて、油中のノロを短時間で取り除くことができる。したがって、オイルフラッシングに要する時間を短縮することができる。
【符号の説明】
【０１２２】
１  油圧配管設備
４  機器（油圧機器）
９  異物（ノロ）
１０  配管
２０  異物捕捉手段
【図１】
2011104562.tif 000003
【図２】
2011104562.tif 000004
【図３】
2011104562.tif 000005
【図４】
2011104562.tif 000006
【図５】
2011104562.tif 000007
【図６】
2011104562.tif 000008
【図７】
2011104562.tif 000009
【図８】
2011104562.tif 000010
【図９】
2011104562.tif 000011
【図１０】
2011104562.tif 000012
【図１１】
2011104562.tif 000013
【図１２】
2011104562.tif 000014
【図１３】
2011104562.tif 000015
【図１４】
2011104562.tif 000016